(57)【要約】【課題】栽培管理が容易な植物用栽培培地を提供する。【解決手段】植物栽培具１０を、底部に排水孔を有する袋体１２と、この袋体１２に収容された栽培用培土１４とから構成する。前記栽培用培土１４は、保肥性及び保水性を有しており、窒素、リン酸、カリウムを含む有機質資材から構成されている。前記有機質資材は、天然有機物及び天然系肥料から構成されており、例えば湖沼内に堆積したヨシ類やスゲ類が長期間熟成した泥炭及び樹皮の完熟堆肥を主体に構成されている。【選択図】図１
2008131938.tif 000002
【特許請求の範囲】
【請求項１】
a)底部に排水孔を有する袋体と、
b)この袋体に収容された栽培用培土とから構成され、
前記栽培用培土は、保肥性及び保水性を有し窒素、リン酸、カリウムを含む有機質資材から構成されていることを特徴とする植物栽培具。
【請求項２】
前記有機質資材は、天然有機物及び天然系肥料から構成されていることを特徴とする請求項１に記載の植物栽培具。
【請求項３】
前記有機質資材は、湖沼内に堆積したヨシ類やスゲ類が長期間熟成した泥炭及び樹皮の完熟堆肥を主体に構成されていることを特徴とする請求項２に記載の植物栽培具。
【請求項４】
前記有機質資材は、畜産加工物残渣、家きん加工糞、植物性加工残渣を好気性微生物により分解したものを含むことを特徴とする請求項２に記載の植物栽培具。
【請求項５】
前記有機質資材は、ブルーサイトを含むことを特徴とする請求項２に記載の植物栽培具。
【請求項６】
前記有機質資材は、コンブ類を発酵させたものを含むことを特徴とする請求項２に記載の植物栽培具。
【請求項７】
前記有機質資材は、卵殻及び卵黄並びに卵白を乳酸菌処理したものを含むことを特徴とする請求項２に記載の植物栽培具。
【請求項８】
前記有機質資材は、トウモロコシを乳酸菌処理したものを含むことを特徴とする請求項２に記載の植物栽培具。
【発明の詳細な説明】
【技術分野】
【０００１】
本発明は、栽培用培土を用いた植物栽培具に関する。
【背景技術】
【０００２】
野菜や花の栽培には、露地栽培や養液栽培等、種々の栽培方法が用いられている（例えば特許文献１及び２）。これらの栽培方法のうち、養液栽培は連作障害の回避、省力化を図ることができることから、広く利用されている。養液栽培は、水耕、噴霧耕、固形培地耕に大別される。これらの養液栽培では、一般的に、無機質肥料を水に溶かした培養液が灌水を兼ねて供給される。
【特許文献１】特開平9-60号公報
【特許文献２】特開2004-194556号公報
【発明の開示】
【発明が解決しようとする課題】
【０００３】
ところが、養液栽培は、初期の設備投資が高額であると共に設備の保守管理や養液の成分調整に手間がかかる。また、食品の安全性や環境保全に対する消費者の関心の高まりから、有機質資材からなる肥料を用いて栽培された野菜や果実の需要が広がっている。
本発明が解決しようとする課題は、安価で且つ保守管理が容易な植物栽培具を提供することである。
【課題を解決するための手段】
【０００４】
上記課題を解決するために成された本発明に係る植物栽培具は、
a)底部に排水孔を有する袋体と、
b)この袋体に収容された栽培用培土とを備え、
前記栽培用培土は、保肥性及び保水性を有する有機質資材から構成されていることを特徴とする。
【０００５】
前記有機質資材は、天然有機物及び天然系肥料から構成すると良く、更には、湖沼内に堆積したヨシ類やスゲ類が長期間熟成した泥炭及び樹皮の完熟堆肥を主体に構成することが好ましい。
【発明の効果】
【０００６】
本発明の植物栽培具は、保肥性、保水性を有する栽培用培土を袋体に収容して構成されているため、栽培用培土に含まれる栄養素を長期間保持することができる。このため、長期間栽培する場合でも、灌水するだけで済み、栽培管理が容易となる。また、袋体に栽培用培土を収容しただけの構成であるため、高額な設備を不要とすることができる。
【発明を実施するための最良の形態】
【０００７】
本発明の植物栽培具について、トマトを栽培する場合を例に挙げて説明する。
まず、植物栽培具の構成を図１を参照しながら説明する。
本実施例の植物栽培具１０は、袋体１２に栽培用培土１４を収容して構成されている。前記袋体１２は、一般的な肥料用袋である内面が黒色のビニル製の袋から構成されている。前記袋体１２の底部には複数の排水孔(図示せず）が形成されている。前記袋体１２の上部は、使用時に鋏やカッターナイフ等で開封され、この開封部から苗Ｐが植え付けられる。袋体１２の大きさ或いは袋体１２に収容される培土１４の量に応じて１ないし複数本の苗Ｐを植え付けることができる。植え付けられた後の苗Ｐの管理、果実の収穫等の作業性を考慮すると、１個の植物栽培具１０に対して２ないし４本の苗Ｐを植え付けることが好ましい。トマトの苗Ｐを１本植え付けるのに必要な培土１４の量は約６〜１０Ｌである。
尚、前記袋体１２は、ビニル製に限らず、例えば麻や綿等の布製としても良い。
【０００８】
袋体１２に収容される培土１４は、化学性、微生物性、物理性、機能性の４つの要素をバランスよく備えた機能性土から構成されている。特に、栽培用培土１４としては、天然有機物起源の肥料や土壌改良剤等を含み、保肥性及び保水性を有する機能性土を用いた。具体的には、栽培用培土１４には次のａ)〜ｅ)に示す資材が含まれている。
【０００９】
a)バーク堆肥及び／又は高位泥炭／低位泥炭を主体とする資材。これは、栽培用培土１４のベースとなるもので、例えばミズゴケ、ヨシ、スギ等が長期間堆積し熟成したもの、樹木の皮、幹、枝、ワラ類、竹類が放線菌や担子菌類などによって発酵されたものが含まれる。腐植酸やミネラルを多く含み、排水性、保水性に富んでいる。
b)動物質、植物質、鉱物質由来の物質を乾燥し、粉砕又は成型した資材。
c)動物質、植物質、鉱物質由来の物質を発酵し、粉砕又は成型した資材。
d)動物質、植物質、鉱物質由来の物質を化学反応させ、粉砕又は成型した資材。
e)動物質、植物質、鉱物質由来の物質を焼成し、粉砕又は成型した資材。
b)〜e)の資材はいずれも植物の肥料・養分となるもので、窒素、リン酸、カリウム、マグネシウム、カルシウム等の肥料成分を少なくとも一種含んでいる。
動物質由来の物質としては、例えば牛、豚、馬等の家畜類、鶏や鶉等の家禽類、魚介類、甲殻類、蚕等の生体や加工物残渣、加工糞が挙げられる。
植物質由来の物質としては、例えば、植物油粕類(菜種粕、胡麻粕、綿実粕、落花生粕、椿の実粕）茶の実粕、トウモロコシ、たばこ、米糠、大豆等が挙げられる。
鉱物質由来の物質としては、例えば、貝化石、ブルーサイト、硫酸カルシウム、硫酸マグネシウム、加里鉱石、リン鉱石等が挙げられる。
【００１０】
次に、図１ないし図８を参照しながら、上記植物栽培具１０を用いて植物を栽培する手順をトマトを例に挙げて説明する。
（１）トマトの苗Ｐを植物栽培具１０の栽培用培土１４に植え付ける(図１）。
トマトの苗Ｐは、植え付けの４０日±５日前に播種して生長させたものを用いる。
【００１１】
（２）栽培用培土１４に植え付けた苗Ｐを育成し、その本茎１６に発生する脇芽を取り除いて本茎１６のみを伸長させると共に、本茎１６の伸長の過程で得られる果実Ｆを収穫する（図２）。
本茎１６は、図示しない支柱、紐等から成る支持部材で支持することにより、上方に向かってほぼ垂直に伸長する。本茎１６が伸長する過程で当該本茎１６に葉や花房が発生し、各花房に果実Ｆができる。各花房にできた果実Ｆを適宜収穫すると共に、果実Ｆの収穫が終わるまで、或いは収穫間近まで本茎１６の葉のつけ根に発生する脇芽を全て大きくなる前に摘み取る。これにより本茎１６のみが伸長する。
【００１２】
（３）果実Ｆの収穫が終わった本茎１６を株元付近で切断する(図３)。切断箇所は、切断後の本茎１６に少なくとも１個の葉や節が残る箇所であれば良く、図３では、根元から３番目の葉の直ぐ上で切断した例を示している。このように、複数の葉や節を残して本茎を切断した場合は、各葉の付け根や節からそれぞれ脇芽が発生する。
（４）切断後の本茎１６の株元に発生している脇芽のうち最も勢いが良いものを残し、第１側茎１８として育成する。これ以外の脇芽は全て摘み取る(図４）。
尚、「切断後の本茎１６の株元に発生している脇芽」とは、本茎１６を切断した後に発生した脇芽及び切断前から本茎１６の株元に発生していた脇芽の両方を含むものとする。
（５）第１側茎１８を、本茎１６と同様に脇芽を取り除きつつ上方に向かって伸長させると共に、伸長の過程で得られる果実を収穫する(図５）。
これにより第１側茎１８のみが伸長し、伸長する過程で第１側茎１８にできた果実Ｆを収穫することができる。
【００１３】
（６）果実Ｆの収穫が終わった第１側茎１８を株元付近で切断する（図６）。図６では、第１側茎１８のつけ根から２番目の葉（葉柄）の直ぐ上で切断した例を示している。尚、「第１側茎１８の株元付近」とは、本茎１６からの分岐部付近を意味する。
（７）切断後の第１側茎１８の株元付近に発生する脇芽のうち最も勢いが良いものを残し、第２側茎２０として育成する。これ以外の脇芽は全て摘み取る(図７）。
（８）第２側茎２０を、本茎１６及び第１側茎１８と同様に脇芽を取り除きつつ上方に向かって伸長させると共に、伸長の過程で得られる果実を収穫する(図８)。
【００１４】
これにより、第２側茎２０のみが伸長し、伸長する過程で第２側茎２０にできた果実Ｆを収穫することができる。
これ以降、果実Ｆの収穫が終わった古い側茎を株元付近で切断し、新しい脇芽を育成して次の側茎として伸長させ、果実Ｆを収穫するという工程（（６）ないし（８）の工程）を繰り返す。
【００１５】
上記栽培方法は、１個の苗から複数の茎を順次伸長させてトマトの果実を繰り返し収穫する方法であるため、いったん栽培培地に定植された苗が、その栽培を終了して廃棄されるまでの期間が長い。このため、保肥性に優れた栽培用培土１４を用いた場合でも、主茎切断後の栽培では繰り返し追肥を行って不足する栄養分を補う必要がある。しかし、袋体１２に栽培用培土１４を収容したため、栽培用培土１４中の保水量を容易に調節できると共に栽培用培土１４に含まれる栄養素が消失し難いというメリットを有する。
【００１６】
更に、袋体１２に栽培用培土１４を収容した植物栽培具１０を用いて植物の苗を育成すると、例えば病気が発生した場合に病気の苗だけを簡単に取り除くことができ、病気の拡大を防止できる。
【実施例】
【００１７】
次に、本発明の実施例を説明する。試験品種として大玉トマト２品種、中玉トマト１品種、ミニトマト２品種の計５品種を使用し、温室内にて３月中旬に苗の植え付けを行った。全品種、播種から４０日±５日後の苗を用いた。植物栽培具１０は上述した袋体１２に資材ａ）〜ｈ）を含む栽培用培土１４を収容したものを用い、各植物栽培具１０に４個ずつ苗を植え付けた。定植後はタイマ式自動灌水装置を用いて適量の水のみを灌水した。
【００１８】
比較例は、実施例と同様の５品種のトマトを地床栽培した。地床栽培は畑土壌に実施例の栽培用培土１４と同じものを混ぜ込んで用いた。そして、植え付けから１１５日後に収穫を開始した。
【００１９】
図９は、７月２日の時点で収穫に適した５品種の果実（ｎ＝５）を収穫し、これらの重量、糖度(ブリックス糖度）を測定した結果の平均値を示している。図９に示すように、いずれの品種においても、果実重量は低下したが、糖度が高くなった。
【００２０】
尚、栽培用培土１４に含まれる資材としては、上述した資材の他に次のようなものを用いることができる。
１）コンブ等の海藻類を発酵させ濃縮したもの。
２）珪藻土。各種ミネラル、ビタミン、アミノ酸等、６０種以上の微量要素を含んでいる。
３）培養菌体（細菌、放線菌、有用糸状菌）。
４）鶏の卵殻であるクチクラ層(薄皮)を主体に卵黄、卵白を乳酸菌処理したもの。窒素、石灰、リン酸、マグネシウム、タンパク質、ナトリウム、鉄、カリウムを含んでいる。
【図面の簡単な説明】
【００２１】
【図１】本発明の植物栽培具を説明するための図であって、トマトの苗を植え付けた状態を示す図
【図２】トマトの苗の主茎が伸長して果実を付けた状態を示す図
【図３】主茎を株元付近で切断した状態を示す図
【図４】主茎の株元の脇芽から生長した第１側茎を示す図
【図５】第１側茎が伸長して果実を付けた状態を示す図
【図６】第１側茎を株元付近で切断した状態を示す図
【図７】第１側茎の株元の脇芽から生長した第２側茎を示す図
【図８】第２側茎が伸長して果実を付けた状態を示す図
【図９】本発明の栽培具を用いて栽培され収穫されたトマトと地床栽培して収穫されたトマト果実の重量及び糖度を比較した図
【符号の説明】
【００２２】
１０…植物栽培具
１２…袋体
１４…植物栽培用培土
【図１】
2008131938.tif 000003
【図２】
2008131938.tif 000004
【図３】
2008131938.tif 000005
【図４】
2008131938.tif 000006
【図５】
2008131938.tif 000007
【図６】
2008131938.tif 000008
【図７】
2008131938.tif 000009
【図８】
2008131938.tif 000010
【図９】
2008131938.tif 000011